(57)【要約】【課題】脱着式カバーを、薄型化を達成できると共に、取付精度を気にすることなく取付が容易なものにする。【解決手段】充電池４を収容する収容凹部５を有する筐体３を有する携帯電話機において、筐体３と別部品で構成され、少なくとも収容凹部５及びその周辺を覆うリアカバー６を設ける。このリアカバー６に収容凹部５を防水状態に囲むパッキンホルダ７を位置変更可能に取り付ける。【選択図】図８
2013247016.tif 000002
【特許請求の範囲】
【請求項１】
電子部品を収容する収容凹部を有する筐体と、
上記筐体と別部品で構成され、少なくとも上記収容凹部及びその周辺を覆い、外観に現れる脱着式カバーとを備えた携帯端末であって、
上記脱着式カバーには、上記収容凹部を防水状態に囲むパッキンホルダが位置変更可能に取り付けられている
ことを特徴とする携帯端末。
【請求項２】
請求項１に記載の携帯端末において、
上記脱着式カバーの裏面には、長孔を有する複数のリブが立設され、
上記パッキンホルダには、上記長孔に係止される係止部が突設されている
ことを特徴とする携帯端末。
【請求項３】
請求項１又は２に記載の携帯端末において、
上記パッキンホルダは、上記充電池の全体を覆うように周壁が立設された皿状に形成されており、該周壁は、フィルムによって連結されている
ことを特徴とする携帯端末。
【請求項４】
請求項１乃至３のいずれか１つに記載の携帯端末において、
上記電子部品は、矩形板状の充電池であり、
上記パッキンホルダは、上記充電池の全体を覆うように周壁が立設された皿状に形成されており、角部の周壁は、他の部分の周壁よりも低くなっている
ことを特徴とする携帯端末。
【発明の詳細な説明】
【技術分野】
【０００１】
本発明は、収容凹部に収容した電子部品を覆う脱着式カバーを有する携帯端末に関するものである。
【背景技術】
【０００２】
従来より、充電池を覆う電池蓋の裏面に防水用のリブを有する携帯端末が用いられている。このリブは、例えば、樹脂製の電池蓋に二色成形又はインサート成形により設けられる。
【０００３】
また、例えば、電池蓋の裏面に防水パッキンの付いた内部防水ホルダを両面テープ等にて貼り付けることが行われている。
【０００４】
さらに例えば特許文献１では、リアカバーの裏側にリアカバーとは別体の防水性のリアカバープレートを設け、このリアカバープレートを特殊ネジにて固定している。
【先行技術文献】
【特許文献】
【０００５】
【特許文献１】特開２００９−１１０８１０号公報
【発明の概要】
【発明が解決しようとする課題】
【０００６】
しかしながら、電池蓋に防水用のリブをインサート成形にて一体成形するものでは、一度成形されたＰＣ樹脂等よりなる電池蓋を高温の成型金型内に載置し、電池蓋裏面に形成したリブにシリコン等をインサート成形するので、成形時に電池蓋に傷が入ったり、型締めの跡が付いたりして見映えが悪くなる、という問題があった。
【０００７】
また、内部防水ホルダを電池蓋に貼り付けるものでは、電池蓋とは別体のホルダ等に形成したリブにシリコンをインサート成形するので、成形時にホルダの外観が悪化しても、電池蓋にて隠されるので問題はない。しかし、ホルダを電池蓋裏面に貼り付けるものでは、貼付精度が悪いと隙間が生じて防水性能が発揮できないという問題がある。このため、電池蓋自体にガタツキを持たせる必要があった。また、内部ホルダの肉厚に加えて接着用の両面テープの肉厚が必要で薄型化が困難であった。
【０００８】
さらに、上記特許文献１のようにリアカバープレートを設ける場合でも、外観上の問題は発生しないが、リアカバープレートを取り外さないと、充電池を取り出せないので、充電池の取出及び取付作業が面倒である。
【０００９】
本発明は、かかる点に鑑みてなされたものであり、その目的とするところは、脱着式カバーを、薄型化を達成できると共に、取付精度を気にすることなく取付が容易なものにすることにある。
【課題を解決するための手段】
【００１０】
上記の目的を達成するために、この発明では、パッキンホルダを脱着式カバーの裏面に位置変更可能に取り付けた。
【００１１】
具体的には、第１の発明では、
電子部品を収容する収容凹部を有する筐体と、
上記筐体と別部品で構成され、少なくとも上記収容凹部及びその周辺を覆い、外観に現れる脱着式カバーとを備えた携帯端末を前提とする。
【００１２】
そして、上記携帯端末は、
上記脱着式カバーには、上記収容凹部を防水状態に囲むパッキンホルダが位置変更可能に取り付けられている。
【００１３】
上記の構成によると、パッキンホルダは、外観に現れる脱着式カバーとは別部品であるので、パッキンホルダにシリコンのパッキンを一体成形しても外観が悪化することはない。また、パッキンホルダを脱着式カバーの裏面に位置変更可能に形成するので、パッキンホルダの取付精度を厳密に管理する必要がなくなり、製造コストが下がると共に、最善の位置に移動させることができるので、防水性能が向上する。また、脱着式カバー自体にガタツキを持たせて製造誤差を吸収させる必要はないので、製品毎に外しやすさのバラツキがなく、見映えもよい。しかも、パッキンホルダや脱着式カバーを接着する必要がないので、パッキンホルダの交換が容易で安価である。
【００１４】
第２の発明では、第１の発明において、
上記脱着式カバーの裏面には、長孔を有する複数のリブが立設され、
上記パッキンホルダには、上記長孔に係止される係止部が突設されている。
【００１５】
上記の構成によると、簡単な構成でパッキンホルダを脱着式カバーの裏面に位置変更可能に取り付けることができる。
【００１６】
第３の発明では、第１又は第２の発明において、
上記パッキンホルダは、上記充電池の全体を覆うように周壁が立設された皿状に形成されており、該周壁は、フィルムによって連結されている。
【００１７】
上記の構成によると、フィルムであれば、樹脂の最小肉厚よりも薄くできるので、携帯端末の厚さを薄くすることができる。
【００１８】
第４の発明では、第１乃至第３のいずれか１つの発明において、
上記電子部品は、矩形板状の充電池であり、
上記パッキンホルダは、上記充電池の全体を覆うように周壁が立設された皿状に形成されており、角部の周壁は、他の部分の周壁よりも低くなっている。
【００１９】
上記の構成によると、角部の周壁を低くして充電池の角部を収容凹部の膨出部で覆うことができるので、充電池がぐらつかない。
【発明の効果】
【００２０】
以上説明したように、本発明によれば、脱着式カバーに収容凹部を防水状態に囲むパッキンホルダを位置変更可能に取り付たことにより、脱着式カバーを薄型化を達成できると共に、取付精度を気にすることなく取付が容易なものにすることができる。
【図面の簡単な説明】
【００２１】
【図１】パッキンホルダが取り付けられたリアカバーの正面側を示す斜視図である。
【図２】本発明の実施形態に係る携帯電話機を正面側から見た分解斜視図である。
【図３】携帯電話機を背面側から見た分解斜視図である。
【図４】リブ、係止部及びその周辺を拡大して示す側面図である。
【図５】リアカバー及びパッキンホルダを示し、（ａ）が分解断面図であり、（ｂ）が組立断面図である。
【図６】リアカバーを正面側から見た斜視図である。
【図７】パッキンホルダを正面側から見た斜視図である。
【図８】携帯電話機の一部拡大断面図である。
【発明を実施するための形態】
【００２２】
以下、本発明の実施形態を図面に基づいて説明する。
【００２３】
図２及び図３は、本発明の実施形態の携帯端末としての携帯電話機１を示し、例えば、この携帯電話機１は、折畳み式携帯電話機であり、矩形板状の表示部２が、同じく矩形板状の筐体３に対して折畳み開閉自在に連結されている。
【００２４】
図３及び図８に示すように、筐体３の背面には、電子部品としての充電池４を収容する収容凹部５が凹陥されている。充電池４は、矩形板状であり、それにあわせて収容凹部５も矩形状に凹陥されている。
【００２５】
収容凹部５及びその周辺を含む筐体３の背面側のほぼ全体は、筐体３と別部品で樹脂製の脱着式カバーとしてのリアカバー６で覆われている。リアカバー６の背面側は、外観に現れる。
【００２６】
そして、図１〜図５に示すように、リアカバー６には、収容凹部５を防水状態に囲むパッキンホルダ７が位置変更可能に取り付けられている。
【００２７】
図６に示すように、リアカバー６の正面側には、長孔８を有する複数の（例えば４つの）上下方向に延びるリブ９が左右に間隔をあけて立設されている。長孔８は、４つに限定されず、２つや３つ、５つ以上でもよい。
【００２８】
図７に示すように、携帯電話機１は、これに対応させるように、左右の周壁に各長孔８に係止される係止部１０が突設されたパッキンホルダ７を有する。パッキンホルダ７は、充電池４よりも一回り大きく、収容凹部５よりも一回り小さい矩形皿状のもので、矩形板状の平板部７ａと、この平板部７ａを囲む周壁７ｂとを有する。周壁７ｂの端部全周には、シリコン製のパッキン１１がインサート成形により一体成形されている。
【００２９】
図４に示すように、長孔８の長手方向の長さが、係止部１０の長手方向長さよりも長いことで、第１隙間Ｃ１が形成されている。これにより、長手方向に第１隙間Ｃ１の分だけパッキンホルダ７がリアカバー６に対して移動可能となっている。
【００３０】
図５に示すように、周壁７ｂとリブ９との間に幅方向に第２隙間Ｃ２が形成されている。さらに、長孔８の幅と、係止部１０の幅との差により、高さ方向の第３隙間Ｃ３が形成されている。これら第２隙間Ｃ２と第３隙間Ｃ３により、幅方向及び高さ方向にパッキンホルダ７がリアカバー６に対して若干移動可能となっている。
【００３１】
図４及び図７に示すように、角部の周壁７ｂは、他の部分の周壁７ｂよりも低くなっている。角部の周壁７ｂを低くすることにより、図８に示すように、充電池４の角部を収容凹部５の隅角部から膨出する膨出部５ａで覆うことができるので、充電池４がぐらつかない。
【００３２】
このように、本実施形態では、簡単な構成でパッキンホルダ７をリアカバー６の裏面（正面側）に位置変更可能に取り付けることができるようになっている。
【００３３】
そして、パッキンホルダ７は、外観に現れるリアカバー６とは別部品であるので、パッキンホルダ７にシリコンのパッキン１１を一体成形しても外観が悪化することはない。
【００３４】
また、パッキンホルダ７をリアカバー６の裏面に位置変更可能に形成するので、パッキンホルダ７の取付精度を気にする必要がなくなり、製造コストが下がると共に、最善の位置に移動させることができるので、防水性能が向上する。
【００３５】
また、リアカバー６自体にガタツキを持たせる必要はないので、製品毎にリアカバー６の外しやすさのバラツキがなく、見映えもよい。
【００３６】
しかも、パッキンホルダ７を接着する必要がないので、パッキンホルダ７又はリアカバー６の交換が一方側だけの交換で済み、コスト面で有利である。
【００３７】
したがって、本実施形態に係る携帯電話機１によると、リアカバー６に収容凹部５を防水状態に囲むパッキンホルダ７を位置変更可能に取り付たことにより、リアカバー６を、薄型化を達成できると共に、取付精度を気にすることなく取付が容易なものにすることができる。
【００３８】
−実施形態の変形例−
上記実施形態では、パッキンホルダ７は、充電池４の全体を覆うように平板部７ａと周壁７ｂとを樹脂で成形した皿状に形成したが、この平板部７ａをフィルムで構成してもよい。フィルムであれば、樹脂の最小肉厚よりも薄くできるので、携帯電話機１の厚さを薄くすることができるという点で有利である。
【００３９】
（その他の実施形態）
本発明は、上記実施形態について、以下のような構成としてもよい。
【００４０】
すなわち、上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００４１】
また、上記実施形態では、電子部品を充電池４としたが、電子部品は、交換可能で防水が必要な電子部品であれば、充電池４に限定されない。
【００４２】
なお、以上の実施形態は、本質的に好ましい例示であって、本発明、その適用物や用途の範囲を制限することを意図するものではない。
【産業上の利用可能性】
【００４３】
以上説明したように、本発明は、収容凹部に収容した充電池などの電子部品を覆うリアカバーなどの脱着式カバーを有する携帯端末について有用である。
【符号の説明】
【００４４】
１      携帯電話機（携帯端末）
２      表示部
３      筐体
４      充電池（電子部品）
５      収容凹部
５ａ    膨出部
６      リアカバー（脱着式カバー）
７      パッキンホルダ
７ａ    平板部
７ｂ    周壁
８      長孔
９      リブ
１０      係止部
１１      パッキン
【図１】
2013247016.tif 000003
【図２】
2013247016.tif 000004
【図３】
2013247016.tif 000005
【図４】
2013247016.tif 000006
【図５】
2013247016.tif 000007
【図６】
2013247016.tif 000008
【図７】
2013247016.tif 000009
【図８】
2013247016.tif 000010